(57)【特許請求の範囲】
【請求項１】
店員によって操作され、商品の登録処理を実行する商品登録機と、
客によって操作され、前記登録処理の実行によって生成された代金データに基づいて代金の支払処理を実行する複数の代金支払機と、を備え、
前記代金データには、前記複数の代金支払機のうちの一部である複数の代金支払機を示す情報が付加され、
前記一部である複数の代金支払機のそれぞれは、自機を示す前記情報が付加された前記代金データに対して、前記支払処理の進捗状況に基づいて前記代金データの取得処理を実行する、ＰＯＳシステム。
【請求項２】
前記代金データに対して、前記一部である複数の代金支払機のうちの少なくとも２つの代金支払機の間で前記取得処理の実行が重なった場合には、前記少なくとも２つの代金支払機のうち前記商品登録機に最も近い代金支払機が前記代金データを取得するように構成されている、請求項１記載のＰＯＳシステム。
【請求項３】
前記商品登録機は、前記複数の代金支払機のうち、前記一部である複数の代金支払機を除く代金支払機に対して、前記代金データの取得を禁止する禁止設定部を有する、請求項１又は２記載のＰＯＳシステム。
【請求項４】
前記商品登録機は、前記一部である複数の代金支払機のうち前記代金データを取得した代金支払機を報知する報知部を有する、請求項１〜３のいずれか一項記載のＰＯＳシステム。
【請求項５】
前記商品登録機は、複数の前記代金データを関連付け、
前記一部である複数の代金支払機のうちいずれか１つの代金支払機は、関連付けられた複数の前記代金データを纏めて取得する、請求項１〜４のいずれか一項記載のＰＯＳシステム。
【請求項６】
前記商品登録機は、前記複数の代金支払機のうち、前記一部である複数の代金支払機に対して、前記代金データの取得を許可する許可設定部を有する、請求項１〜５のいずれか一項記載のＰＯＳシステム。
【請求項７】
前記商品登録機は、前記一部である複数の代金支払機を示す前記情報を前記代金データに付加して、当該代金データを保存し、
前記一部である複数の代金支払機のそれぞれは、前記商品登録機に保存された前記代金データに対して前記取得処理を実行する、請求項１〜６のいずれか一項記載のＰＯＳシステム。
【請求項８】
前記商品登録機及び前記複数の代金支払機と通信可能である上位装置を更に備え、
前記商品登録機は、前記一部である複数の代金支払機を示す前記情報を前記代金データに付加して、当該代金データを前記上位装置に送信し、
前記一部である複数の代金支払機のそれぞれは、前記上位装置に受信された前記代金データに対して前記取得処理を実行する、請求項１〜６のいずれか一項記載のＰＯＳシステム。
【発明の詳細な説明】
【技術分野】
【０００１】
本発明は、セミオート式のＰＯＳ（Point  of  Sales）システムに関する。
【背景技術】
【０００２】
商品の登録処理を実行する商品登録機と、登録処理の実行によって生成された代金データに基づいて代金の支払処理を実行する代金支払機と、を備えるセミオート式のＰＯＳシステムが知られている（例えば、特許文献１参照）。セミオート式のＰＯＳシステムでは、店員が商品登録機を操作し、客が代金支払機を操作することにより、代金の支払いに要する時間の短縮化が図られている。
【先行技術文献】
【特許文献】
【０００３】
【特許文献１】特開２０１３−２４２８３９号公報
【発明の概要】
【発明が解決しようとする課題】
【０００４】
上述したようなセミオート式のＰＯＳシステムにおいては、店員の人数の削減という観点から、如何に商品登録機の台数を削減することができるかが重要となる。そのためには、商品登録機における処理負担を軽減する必要がある。
【０００５】
そこで、本発明は、商品登録機における処理負担を軽減することができるＰＯＳシステムを提供することを目的とする。
【課題を解決するための手段】
【０００６】
本発明のＰＯＳシステムは、店員によって操作され、商品の登録処理を実行する商品登録機と、客によって操作され、登録処理の実行によって生成された代金データに基づいて代金の支払処理を実行する代金支払機と、を備え、代金支払機は、複数設けられており、複数の代金支払機のそれぞれは、支払処理の進捗状況に基づいて代金データの取得処理を実行する。
【０００７】
このＰＯＳシステムでは、各代金支払機が支払処理の進捗状況に基づいて代金データの取得処理を実行するので、例えば、商品登録機においては、支払処理の進捗状況に基づいて、代金データを送信すべき代金支払機を選択する処理が不要となる。したがって、このＰＯＳシステムによれば、商品登録機における処理負担を軽減することができる。
【０００８】
本発明のＰＯＳシステムでは、商品登録機は、複数の代金支払機のうち一部の代金支払機に対して代金データの取得を禁止する禁止設定部を有してもよい。これにより、例えば、商品登録機から遠い代金支払機に対して代金データの取得を禁止する等、客の利便性を向上させ得る運用を実施することができる。
【０００９】
本発明のＰＯＳシステムでは、商品登録機は、複数の代金支払機のうち代金データを取得した代金支払機を報知する報知部を有してもよい。これにより、代金の支払うために操作すべき代金支払機を客に教示することができる。
【００１０】
本発明のＰＯＳシステムでは、商品登録機は、複数の代金データを関連付け、複数の代金支払機のうちいずれか１つの代金支払機は、関連付けられた複数の代金データを纏めて取得してもよい。これにより、例えば、１人の客が、１台の代金支払機において、代金データごとに支払形態を変えたり、代金データごとに領収書を発行したりすることができる。
【００１１】
本発明のＰＯＳシステムでは、商品登録機は、複数の代金支払機のうち一部の代金支払機に対して代金データの取得を許可する許可設定部を有してもよい。これにより、例えば、商品登録機に近い代金支払機に対して代金データの取得を許可する等、客の利便性を向上させ得る運用を実施することができる。
【００１２】
本発明のＰＯＳシステムは、商品登録機及び代金支払機と通信可能である上位装置を更に備え、商品登録機は、代金データの取得を許可した代金支払機を示す情報を代金データに付加して、当該代金データを上位装置に送信し、代金データの取得が許可された代金支払機は、上位装置に受信された代金データに対して取得処理を実行してもよい。これにより、代金支払機による代金データの取得を待つことなく、商品登録機に商品の登録処理を実行させることができる。
【発明の効果】
【００１３】
本発明によれば、商品登録機における処理負担を軽減することができるＰＯＳシステムを提供することが可能となる。
【図面の簡単な説明】
【００１４】
【図１】本発明の一実施形態のＰＯＳシステムの構成を示すブロック図である。
【図２】図１のＰＯＳシステムの商品登録機の構成を示すブロック図である。
【図３】図２の商品登録機の外観斜視図である。
【図４】図１のＰＯＳシステムの代金支払機の構成を示すブロック図である。
【図５】図４の代金支払機の外観斜視図である。
【図６】図１のＰＯＳシステムの動作例を示すシーケンス図である。
【発明を実施するための形態】
【００１５】
以下、本発明の実施形態について、図面を参照して詳細に説明する。なお、各図において同一又は相当部分には同一符号を付し、重複する説明を省略する。
【００１６】
［ＰＯＳシステムの構成］
図１に示されるように、ＰＯＳシステム１は、ストアコントローラ（上位装置）１０と、複数の商品登録機２０と、複数の代金支払機３０と、を備えている。ストアコントローラ１０、各商品登録機２０及び各代金支払機３０は、有線又は無線のＬＡＮ（Local  Area  Network）２によって相互に接続されている。ＰＯＳシステム１は、スーパーマーケット等の店舗に構築されたセミオート式のＰＯＳシステムである。つまり、ＰＯＳシステム１において、各商品登録機２０は、店員によって操作され、商品の登録処理を実行し、各代金支払機３０は、客によって操作され、登録処理の実行によって生成された代金データに基づいて代金の支払処理を実行する。なお、店員は、ＰＯＳシステム１が導入されている店舗の従業者等及び使用者等を含み、広義には、当該店舗の関係業者を含む。客とは、商品を購入する及び／又は購入した者を含み、広義には、店舗に対して代金の授受を行う及び／又は行った者を含む。
【００１７】
ストアコントローラ１０は、ＰＯＳシステム１を制御するコンピュータであり、商品マスタ等の種々の情報を管理する。ストアコントローラ１０は、各商品登録機２０及び各代金支払機３０と通信可能であり、各商品登録機２０及び各代金支払機３０に商品マスタを適宜送信する。商品マスタとは、各商品についての商品情報（商品の識別情報、並びに、商品名称及び販売価格に関する情報等）を格納したファイルである。商品マスタは、適宜更新される。
【００１８】
図２に示されるように、商品登録機２０は、ＣＰＵ（Central  Processing  Unit）２０１と、ＲＯＭ（Read  Only  Memory）２０２と、ＲＡＭ（Random  Access  Memory）２０３と、スキャナ２０４と、店員用表示部２０５と、客用表示部２０６と、操作部２０７と、通信部２０８と、スピーカ２０９と、印刷部２１０と、を備えている。これらは、バス２１５によって相互に接続されている。なお、商品登録機２０の外観は、図３に示されるとおりである。
【００１９】
ＣＰＵ２０１は、ＲＯＭ２０２に記憶されているプログラムを読み出して実行することにより、商品登録機２０の動作を制御する。ＲＯＭ２０２は、商品登録機２０の動作を制御するためのプログラムを記憶している。ＲＡＭ２０３は、ストアコントローラ１０から送信された商品マスタ、スキャナ２０４によって読み取られたバーコード（商品コード）に基づいて商品マスタから取得された商品情報、及び操作履歴に関する情報等を随時記憶する。
【００２０】
スキャナ２０４は、商品に付されているバーコード等を光学的に読み取る。店員用表示部２０５は、店員に対し、スキャナ２０４によって読み取られたバーコードに対応する商品名称及び販売価格等を表示する。客用表示部２０６は、客に対し、スキャナ２０４によって読み取られたバーコードに対応する商品名称及び販売価格等を表示する。なお、店員用表示部２０５及び客用表示部２０６は、タッチパネルを構成することで、操作部としても機能する。
【００２１】
操作部２０７は、商品登録機２０を動作させるための各種の操作ボタン（小計キー、現計キー、置数キー、訂正キー及びプリセットキー等）を有している。通信部２０８は、ＬＡＮ２を介して他の機器と通信を行う。スピーカ２０９は、商品登録機２０の操作音、及び各種の音声等を出力する。印刷部２１０は、適宜、各種の文字等を紙片に印刷して当該紙片を発行する。
【００２２】
以上のように構成された商品登録機２０においては、店員による操作の下、客が購入しようとしている商品に付されたバーコードがスキャナ２０４によって読み取られると、ＣＰＵ２０１によって商品マスタから商品情報が取得されて代金データが生成される（商品の登録処理の実行）。代金データには、客が購入しようとしている全ての商品についての単価及び数量、並びに、合計金額等に関する情報が含まれている。
【００２３】
そして、生成された代金データがいずれか１つの代金支払機３０によって取得されると、客に対し、複数の代金支払機３０のうち代金データを取得した代金支払機３０（すなわち、客が代金の支払いを行うべき代金支払機３０）が報知される。商品登録機２０では、客用表示部２０６及び印刷部２１０が報知部として機能する。具体的には、客用表示部２０６は、例えば、各代金支払機３０に付された識別番号のうち、代金データを取得した代金支払機３０の識別番号を表示する。印刷部２１０は、代金データを取得した代金支払機３０の識別番号、及び代金データの識別情報を示すバーコード等を紙片に印刷して、当該紙片（会計券）を発行する。
【００２４】
なお、スピーカ２０９が報知部として機能してもよい。その場合、スピーカ２０９は、例えば、各代金支払機３０に付された識別番号のうち、代金データを取得した代金支払機３０の識別番号を示す音声を出力する。商品登録機２０では、客用表示部２０６、スピーカ２０９及び印刷部２１０の少なくとも１つを報知部として機能させることができる。
【００２５】
図４に示されるように、代金支払機３０は、ＣＰＵ３０１と、ＲＯＭ３０２と、ＲＡＭ３０３と、スキャナ３０４と、表示部３０５と、操作部３０７と、通信部３０８と、スピーカ３０９と、印刷部３１０と、決済部３１１と、サインポール３１２と、人感知センサ３１３と、カメラ３１４と、を備えている。これらは、バス３１５によって相互に接続されている。なお、代金支払機３０の外観は、図５に示されるとおりである。
【００２６】
ＣＰＵ３０１は、ＲＯＭ３０２に記憶されているプログラムを読み出して実行することにより、代金支払機３０の動作を制御する。ＲＯＭ３０２は、代金支払機３０の動作を制御するためのプログラムを記憶している。ＲＡＭ３０３は、ストアコントローラ１０から送信された商品マスタ、及び操作履歴に関する情報等を随時記憶する。
【００２７】
スキャナ３０４は、会計券に印刷されたバーコード等を光学的に読み取る。表示部３０５は、客に対し、客が代金の支払いを行うための操作手順等を表示する。なお、表示部３０５は、タッチパネルを構成することで、操作部としても機能する。
【００２８】
操作部３０７は、代金支払機３０を動作させるための各種の操作ボタン（訂正キー及びプリセットキー等）を有している。通信部３０８は、ＬＡＮ２を介して他の機器と通信を行う。スピーカ３０９は、代金支払機３０の操作音、及び各種の音声等を出力する。印刷部３１０は、客が代金の支払いを行った際に、客に対し、購入した商品の一覧、各商品の金額、合計金額、受領金額及び釣り金額等を紙片に印刷して当該紙片（レシート）を発行する。
【００２９】
決済部３１１は、紙幣投入兼排出口３１１ａ、硬貨投入口３１１ｂ、硬貨排出口３１１ｃ、クレジットカード投入兼排出口３１１ｄ及び電子マネーリーダ３１１ｅ、並びに、それらを制御する制御部（図示省略）を有している。紙幣投入兼排出口３１１ａ、硬貨投入口３１１ｂ及び硬貨排出口３１１ｃは、現金決済部として機能する。客は、紙幣投入兼排出口３１１ａ等の現金決済部を介した現金での代金の支払い、クレジットカードリーダを介したクレジットカードでの代金の支払い、及び電子マネーリーダを介した電子マネーでの代金の支払いの少なくとも１つを選択することができる。
【００３０】
サインポール３１２は、複数色の表示灯を点灯又は点滅させることで、客が代金の支払いを行うための操作の実施が可能であること、及び何らかの異常が発生していること等を報知する。人感知センサ３１３は、代金支払機３０前の所定領域内に存在する客等を検知する。カメラ３１４は、代金支払機３０前の所定領域内に存在する客等を撮像する。
【００３１】
以上のように構成された代金支払機３０においては、登録処理の実行によって生成された代金データがＣＰＵ３０１によって取得されると、客に対し、代金データを取得した代金支払機３０（すなわち、客が代金の支払いを行うべき代金支払機３０）が自機であることが報知される。代金支払機３０では、表示部３０５による文字等の表示、スピーカ３０９による音声の出力、及びサインポール３１２による表示灯の点灯等の少なくとも１つによって、代金データを取得した代金支払機３０が自機であることが報知される。
【００３２】
客は、商品登録機２０による報知、及び代金データを取得した代金支払機３０による報知に従って、代金データを取得した代金支払機３０に向かう。そして、代金支払機３０前の所定領域内に入った客が人感知センサ３１３によって検知されると、客が代金の支払いを行うための操作手順の表示が表示部３０５によって開始される。このとき、操作手順を示す音声の出力もスピーカ３０９によって開始される。なお、表示部３０５の画面が客によってタッチされたとき、操作部３０７の何らかのボタンが客によって押下されたとき、及び代金支払機３０前の所定領域内に入った客がカメラ３１４によって撮像されたときのいずれかのときに、操作手順の表示が表示部３０５によって開始されると共に、操作手順を示す音声の出力がスピーカ３０９によって開始されてもよい。
【００３３】
客は、表示部３０５による表示、及びスピーカ３０９による音声の出力に従って、操作部３０７、及びタッチパネルを構成する表示部３０５を介して代金支払機３０を操作し、代金の支払いを行う。具体的には、客が、商品登録機２０において発行された会計券に印刷されたバーコードをスキャナ３０４に読み取らせると、決済種別を選択するための選択画面が表示部３０５によって表示される。客は、表示部３０５において、現金、クレジットカード及び電子マネーのいずれかの決済種別、又は併用する複数の決済種別を選択し、決済部３１１において、選択した決済種別での支払いを行う。客によって代金の支払いが行われると、購入した商品の一覧等が印刷されたレシートが印刷部３１０によって発行される。
【００３４】
［ＰＯＳシステムの動作例］
上述したＰＯＳシステム１の動作例について、図６を参照して説明する。ここでは、複数の商品登録機２０のうち１台の商品登録機２０Ａに着目する。前提として、商品登録機２０Ａは、複数の代金支払機３０のうち３台の代金支払機３０Ａ，３０Ｂ，３０Ｃに対して代金データの取得を許可しているものとする。商品登録機２０Ａでは、タッチパネルを構成する店員用表示部２０５、又は操作部２０７が、複数の代金支払機３０のうち一部（少なくとも１台）の代金支払機３０に対して代金データの取得を許可する許可設定部として機能する。
【００３５】
まず、客が購入しようとしている商品について、店員が商品登録機２０Ａの操作（客が購入しようとしている商品に付されたバーコードをスキャナ２０４に読み取らせる操作等）を開始させると、商品登録機２０Ａは、商品の登録処理を開始させる（ステップＳ０１）。当該登録処理が終了すると（ステップＳ０２）、商品登録機２０Ａは、当該登録処理の実行によって生成された代金データに、代金データの取得を許可した代金支払機３０Ａ，３０Ｂ，３０Ｃを示す情報を付加して、当該代金データをストアコントローラ１０に送信する（ステップＳ０３）。ストアコントローラ１０は、当該代金データを受信して（ステップＳ０４）、保存する。
【００３６】
このとき、代金支払機３０Ａにおいては、他の客による代金の支払いが行われていないため、代金支払機３０Ａは、ストアコントローラ１０に対して代金データの取得処理を実行している。具体的には、代金支払機３０Ａは、自機を示す情報が付加された代金データがストアコントローラ１０に保存されているか否かを監視し、当該代金データが保存されていた場合には、ストアコントローラ１０に当該代金データの送信を要求する。一方、代金支払機３０Ｂ，３０Ｃにおいては、他の客による代金の支払いが行われているため、代金支払機３０Ｂ，３０Ｃは、ストアコントローラ１０に対して代金データの取得処理を実行しておらず、従前（ステップＳ０５，Ｓ０６）に開始させた代金の支払処理を実行している。
【００３７】
そして、ストアコントローラ１０は、代金支払機３０Ａによる要求に従って、商品登録機２０Ａにおいて生成された代金データを代金支払機３０Ａに送信する（ステップＳ０７）。代金支払機３０Ａは、ストアコントローラ１０から送信された代金データを受信すると（ステップＳ０８）、当該代金データの取得を完了した旨を示す情報を商品登録機２０Ａに送信する。
【００３８】
商品登録機２０Ａは、代金支払機３０Ａから受信した情報に基づいて、代金データを取得した代金支払機３０（すなわち、客が代金の支払いを行うべき代金支払機３０）が代金支払機３０Ａであることを客に報知する。代金支払機３０Ａは、代金データを取得した代金支払機３０（すなわち、客が代金の支払いを行うべき代金支払機３０）が自機であることを客に報知する。商品登録機２０Ａ及び代金支払機３０Ａによる報知に従って代金支払機３０Ａに案内された客が代金支払機３０Ａの操作を開始させると、代金支払機３０Ａは、商品登録機２０Ａにおいて生成された代金データに基づく代金の支払処理を開始させる（ステップＳ０９）。
【００３９】
商品登録機２０Ａは、生成した代金データをストアコントローラ１０に送信した時点（ステップＳ０３）で、新たな登録処理を実行することが可能である。そのため、次の客が購入しようとしている商品について、店員が商品登録機２０Ａの操作を開始させると、商品登録機２０Ａは、新たな商品の登録処理を開始させる（ステップＳ１１）。当該登録処理が終了すると（ステップＳ１２）、商品登録機２０Ａは、当該登録処理の実行によって生成された代金データに、代金データの取得を許可した代金支払機３０Ａ，３０Ｂ，３０Ｃを示す情報を付加して、当該代金データをストアコントローラ１０に送信する（ステップＳ１３）。ストアコントローラ１０は、当該代金データを受信して（ステップＳ１４）、保存する。
【００４０】
このとき、代金支払機３０Ａにおいては、前の客による代金の支払いが行われているため、代金支払機３０Ａは、ストアコントローラ１０に対して代金データの取得処理を実行しておらず、従前（ステップＳ０９）に開始させた代金の支払処理を実行している。一方、代金支払機３０Ｂ，３０Ｃにおいては、従前（ステップＳ０５，Ｓ０６）に開始させた代金の支払処理が終了しているため（ステップＳ１５，Ｓ１６）、代金支払機３０Ｂ，３０Ｃは、ストアコントローラ１０に対して代金データの取得処理を実行している。
【００４１】
そして、ストアコントローラ１０は、代金支払機３０Ｂ，３０Ｃによる要求のうち代金支払機３０Ｂによる要求に従って、商品登録機２０Ａにおいて生成された代金データを代金支払機３０Ｂに送信する（ステップＳ１７）。代金支払機３０Ｂは、ストアコントローラ１０から送信された代金データを受信すると（ステップＳ１８）、当該代金データの取得を完了した旨を示す情報を商品登録機２０Ａに送信する。なお、ステップＳ１７において、ストアコントローラ１０が、代金支払機３０Ｂ，３０Ｃによる要求のうち代金支払機３０Ｂによる要求に従ったのは、予め定められた優先順位によるものである。ＰＯＳシステム１では、例えば、複数の代金支払機３０による要求が重なった場合には、商品登録機２０に最も近い代金支払機３０による要求にストアコントローラ１０が従うというように、予め優先順位が定められている。
【００４２】
商品登録機２０Ａは、代金支払機３０Ｂから受信した情報に基づいて、代金データを取得した代金支払機３０（すなわち、客が代金の支払いを行うべき代金支払機３０）が代金支払機３０Ｂであることを客に報知する。代金支払機３０Ｂは、代金データを取得した代金支払機３０（すなわち、客が代金の支払いを行うべき代金支払機３０）が自機であることを客に報知する。客は、商品登録機２０Ａ及び代金支払機３０Ｂによる報知に従って代金支払機３０Ｂに向かい、代金支払機３０Ｂにおいて代金の支払を行う。
【００４３】
以上のように、各代金支払機３０Ａ，３０Ｂ，３０Ｃは、代金の支払処理が終了した時点で、代金データの取得処理を開始させる。代金の支払処理が終了した時点は、例えば、印刷部３１０がレシートを発行した時点、当該レシートが客によって取られたことをセンサが検知した時点等である。なお、各代金支払機３０Ａ，３０Ｂ，３０Ｃは、代金の支払処理が終了した時点に限定されず、代金の支払処理中の所定の時点（例えば、決済部３１１での決済が完了した時点等）で、代金データの取得処理を開始させてもよい。つまり、各代金支払機３０Ａ，３０Ｂ，３０Ｃは、代金の支払処理の進捗状況に基づいて代金データの取得処理を実行することができる。
【００４４】
［作用及び効果］
ＰＯＳシステム１では、複数の代金支払機３０のそれぞれが支払処理の進捗状況に基づいて代金データの取得処理を実行するので、例えば、商品登録機２０においては、支払処理の進捗状況に基づいて、代金データを送信すべき代金支払機３０を選択する処理が不要となる。したがって、ＰＯＳシステム１によれば、商品登録機２０における処理負担を軽減することができる。
【００４５】
また、商品登録機２０では、タッチパネルを構成する店員用表示部２０５、又は操作部２０７が、複数の代金支払機３０のうち一部（少なくとも１台）の代金支払機３０に対して代金データの取得を許可する許可設定部として機能する。これにより、例えば、商品登録機２０に近い代金支払機３０に対して代金データの取得を許可する等、客の利便性を向上させ得る運用を実施することができる。
【００４６】
また、商品登録機２０では、客用表示部２０６、スピーカ２０９及び印刷部２１０の少なくとも１つが報知部として機能する。これにより、代金の支払うために操作すべき代金支払機３０を客に教示することができる。
【００４７】
また、ＰＯＳシステム１では、商品登録機２０が、代金データの取得を許可した代金支払機３０を示す情報を代金データに付加して、当該代金データをストアコントローラ１０に送信する。そして、代金データの取得が許可された代金支払機３０が、ストアコントローラ１０に受信された代金データに対して取得処理を実行する。これにより、代金支払機３０による代金データの取得を待つことなく、商品登録機２０に商品の登録処理を実行させることができる。
【００４８】
［変形例］
本発明は、上記実施形態に限定されるものではない。例えば、上記実施形態では、商品登録機２０において生成された代金データをストアコントローラ１０が保存したが、当該代金データを商品登録機２０が保存するようにしてもよい。その場合、各代金支払機３０は、ストアコントローラ１０に対してではなく、商品登録機２０に対して代金データの取得処理を実行する。
【００４９】
また、上記実施形態では、ストアコントローラ１０がＰＯＳシステム１における上位装置として代金データを保存したが、代金データを保存する機能を有していれば、ＰＯＳシステム１における上位装置として他の装置を用いることができる。
【００５０】
また、上記実施形態では、商品登録機２０が代金データを生成したが、商品登録機２０によって実行された商品の登録処理に基づいてストアコントローラ１０又は代金支払機３０が代金データを生成するようにしてもよい。
【００５１】
また、商品登録機２０では、タッチパネルを構成する店員用表示部２０５、又は操作部２０７が、複数の代金支払機３０のうち一部（少なくとも１台）の代金支払機３０に対して代金データの取得を禁止する禁止設定部として機能してもよい。これにより、例えば、商品登録機２０から遠い代金支払機３０に対して代金データの取得を禁止する等、客の利便性を向上させ得る運用を実施することができる。なお、図６に示される動作例では、複数の代金支払機３０のうち３台の代金支払機３０Ａ，３０Ｂ，３０Ｃ以外の代金支払機３０に対して代金データの取得が禁止されていると捉えることができる。
【００５２】
また、商品登録機２０は、例えば、複数の代金データに関連情報を付加することで、当該複数の代金データを関連付けることができる。その場合、代金データを取得することが可能な状態にある代金支払機３０は、関連付けられた複数の代金データを纏めて取得する。これにより、例えば、１人の客が、１台の代金支払機３０において、代金データごとに支払形態を変えたり、代金データごとに領収書を発行したりすることができる。
【００５３】
また、ＬＡＮ２によるストアコントローラ１０、各商品登録機２０及び各代金支払機３０の相互の接続が何らかの理由で切断された場合に、客が、商品登録機２０において発行された会計券を使用して、任意の代金支払機で支払いを行えるようにしてもよい。また、商品登録機２０側から、各代金支払機３０における支払処理の進捗状況を確認することができるようにしてもよい。
【００５４】
また、一の商品登録機２０が複数の代金支払機３０に代金データの取得を許可しており、他の商品登録機２０が複数の代金支払機３０に代金データの取得を許可している場合において、或る代金支払機３０が一の商品登録機２０及び他の商品登録機２０の両方から代金データの取得を許可されているときには、当該代金支払機３０に対し、一の商品登録機２０において生成された代金データと、他の商品登録機２０において生成された代金データとを交互に取得させるようにしてもよい。
【符号の説明】
【００５５】
１…ＰＯＳシステム、１０…ストアコントローラ（上位装置）、２０…商品登録機、３０…代金支払機、２０５…店員用表示部（許可設定部、禁止設定部）、２０６…客用表示部（報知部）、２０７…操作部（許可設定部、禁止設定部）、２０９…スピーカ（報知部）、２１０…印刷部（報知部）。
【図１】
0006530965.tif 000002
【図２】
0006530965.tif 000003
【図３】
0006530965.tif 000004
【図４】
0006530965.tif 000005
【図５】
0006530965.tif 000006
【図６】
0006530965.tif 000007